(57)【要約】【課題】本発明は、会員が選択する各種付帯サービスに応じた年会費の設定を１枚のクレジットカードに付与することによって、会員が独自のカードとして付帯サービスを自由に組み合わせて設定することができる商品構成のカードを提供することを目的とする。【解決手段】本発明は、クレジットカード会社側において、各種の付帯サービスを提供する管理システムと返済関係の管理をする基幹系システムから構成されたシステムを有し、新規会員又は既会員の申込みを問わず、カードの発行時に、カードデザインの選択，各種付帯サービスの選択，返済方法の選択，請求書発行方法の選択および返済方法の選択をネットワークを通じて行うシステムである。【選択図】    図１
2004334262.tif 000002
【特許請求の範囲】
【請求項１】
クレジットカード会社側において、各種の付帯サービスを提供する管理システムと返済関係の管理をする基幹系システムとから構成されたシステムを有し、新規会員の申込による新規カードの発行時に、まず入会申込みフォームに記入した後、カードデザインの選択，各種付帯サービスの選択，返済方法の選択，請求書発行方法の選択および返済方法の選択をそのための申込手段によって行うことを特徴とする付帯サービスカードシステム。
【請求項２】
クレジットカード会社側において、各種の付帯サービスを提供する管理システムと返済関係の管理をする基幹系システムとから構成されたシステムを有し、既会員の申込みによるカードの切替発行時に、カードデザインの選択，各種付帯サービスの選択，返済方法の選択，請求書発行方法の選択および返済方法の選択をそのための申込手段によって行うことを特徴とする付帯サービスカードシステム。
【請求項３】
クレジットカード会社側において、各種の付帯サービスを提供する管理システムと返済関係の管理をする基幹系システムとから構成されたシステムを有し、新規会員の申込による新規カードの発行時に、まず入会申込みフォームに記入した後、カードデザインの選択，各種付帯サービスの選択，返済方法の選択，請求書発行方法の選択および返済方法の選択をネットワークを通じて行うことを特徴とする付帯サービスカードシステム。
【請求項４】
クレジットカード会社側において、各種の付帯サービスを提供する管理システムと返済関係の管理をする基幹系システムとから構成されたシステムを有し、既会員の申込みによるカードの切替発行時に、カードデザインの選択，各種付帯サービスの選択，返済方法の選択，請求書発行方法の選択および返済方法の選択をネットワークを通じて行うことを特徴とする付帯サービスカードシステム。
【発明の詳細な説明】
【０００１】
【発明の属する技術分野】
本発明は、クレジットカードの付帯サービスカードシステムに関するものである。
【０００２】
【従来の技術】
従来、クレジットカード会社は、会員が選択するカード単位の付帯サービスに応じて会員毎に管理していたことから、各会員が選択した各種サービスに応じた年会費の設定をするサービスシステムは存しなかった。
【０００３】
【発明が解決しようとする課題】
そこで、本発明は、各会員が選択する各種付帯サービスをそれらの各サービスに応じた年会費が設定された１枚のクレジットカードに付与することによって、従来、付帯サービスとカードとが対になっていたものから、自分独自のカードとして付帯サービスを自由に組み合わせて設定することができる商品構成のカードを提供することを目的とするものである。
【０００４】
【課題を解決するための手段】
本発明は、クレジットカード会社側において、各種の付帯サービスを提供する管理システムと返済関係の管理をする基幹系システムとから構成されたシステムを有し、新規会員又は既会員の申込みを問わず、カードの発行時に、まず入会申込みフォームに記入した後、カードデザインの選択，各種付帯サービスの選択，返済方法の選択，請求書発行方法の選択および返済方法の選択を任意の申込手段によって行うシステムである。
【０００５】
本発明はまた、クレジットカード会社側において、各種の付帯サービスを提供する管理システムと返済関係の管理をする基幹系システムから構成されたシステムを有し、新規会員又は既会員の申込みを問わず、カードの発行時に、カードデザインの選択，各種付帯サービスの選択，返済方法の選択，請求書発行方法の選択および返済方法の選択をネットワークを通じて行うシステムである。
【０００６】
【発明の実施の形態】
以下、ネットワークを通じて行う場合について説明する。
【０００７】
新規会員の場合は、図２に示すとおり、サービスを提供するクレジットカード会社のホームページを開き、所定の記入事項に記載して申込む。
【０００８】
既会員でも、会員専用ウェッブサービスに未登録の場合は、図３に示すとおり、クレジットカード会社のホームページを開き、トッピングカードの説明ページを見て申込み、以下、属性入力ページを開いて記載し、付帯サービスページを開いて選択する。
【０００９】
既会員で、会員専用ウェッブサービスに登録ずみの場合は、図４に示すとおり、クレジットカード会社のホームページを開き、トッピングカードの付帯サービスページを開いてサービスを追加するか、サービスの更新を停止する手続をする。
【００１０】
【実施例】
以下、ネットワークを通じて行う付帯サービスカードシステムの場合について説明する。
【００１１】
（１）新規会員の申込と新規カードの発行
▲１▼まずカードデザインの選択（予め各種デザインのカードを用意しておく。）
▲２▼付帯サービスの選択（例．レジャー，保険，金融，ギフト，優待，等々の分野別サービスを用意する。）
▲３▼返済プラン（一括，分割／リボ）の選択
▲４▼請求書の発送方法（ｅ−ｍａｉｌ，郵送）の選択
▲５▼返済方法（自動振替，ＡＴＭ／店頭入金／持参）の選択
【００１２】
（２）既会員の選択
既会員は、前記付帯サービスを選択することにより、新規カードに切替えることを可能にする（これを、以下「トッピングカード」と称する。）。前記新規入会の場合との相違は、入会フォームへの入力が不要な点だけである。
【００１３】
（３）トッピングカードの申込方法
▲１▼トッピングカードの申込みは、提供会社側のホームページから所定のキーを押して申込む。
申込み時に顧客は、前記（１）▲２▼の付帯サービスの中から希望のものを選択する。選択したサービスによって年会費の合計を自動的に算定して画面に案内する。
次に、カード与信に必要な顧客属性項目を入力する画面に遷移し、氏名，生年月日等の項目にしたがって入力する。続いて、前記（１）▲３▼〜▲５▼を選択する。
▲２▼ペーパーによる場合は、申込書に必要事項を記入して提出する。
【００１４】
（４）トッピングカード会員の確認等
トッピングカードの会員となると、会員専用のウェッブサービス利用の専用ＩＤを取得し、予め登録したパスワードと併せて会員専用サイトにログインすると、現在の登録サービス内容を確認することができる。
また、付帯サービスの追加や削除ができる。
付帯サービスは原則１年間の有効とし、特段の届出がない限り、自動更新を原則とする。
特定の付帯サービスについては、次年度以降の更新をしない旨の届出を予めすることも可能である。
【００１５】
（５）その他のサービス
顧客の情報管理をするため、会員単位のサービス内容，サービス別の年会費，適用期間を一括管理，問合せ対応やサービス更新時における期間管理を行う。
サービス提供企業へのデータ提供は、ＦＤ等の媒体若しくはデータ伝送によって行い、会員へのサービス提供を実現する。
【００１６】
（６）提供会社側においては、管理システムを各種サービスを提供するトッピング管理システムと、基幹系システムで行う。
▲１▼トッピング管理システムでは、トッピングカードに付帯するサービス内容、サービス期間、サービス年会費などの管理をする。また、カード会員専用のウェッブサービスからのサービスの追加、削除、サービス更新停止予後の変更の管理をする。
▲２▼基幹系システムでは、返済プラン、請求書の発送方法、返済方法の管理をする。
【００１７】
なお、ペーパーによる申込みの場合は、申込書に必要事項を記入して提出する方法となる。
【００１８】
【発明の効果】
以上のような本発明による付帯サービスシステムの実現によって、従来必要としたサービスにより特化した各個別のカードを多数枚保有する必要がなくなり、また一般的に固定的であったカードの機能について会員は自由に選択することが可能となり、顧客本位のユーザーカードを提供することができるものとして、その効果はきわめて大きい。
【図面の簡単な説明】
【図１】本発明の一実施態様を示す概略構成図
【図２】新規トッピングカード会員申込みの流れ図
【図３】会員専用ウェッブサービス未登録の既存会員のトッピングカード申込みの場合の流れ図
【図４】会員専用ウェッブサービス既登録の既存会員のトッピングカード申込みの場合の流れ図
【図１】
2004334262.tif 000003
【図２】
2004334262.tif 000004
【図３】
2004334262.tif 000005
【図４】
2004334262.tif 000006